(57)【要約】【課題】蓄電池に充放電する際に発生する熱を有効利用することができる蓄電装置及び熱利用システムを得る。【解決手段】住宅１０の床２０の下部には、蓄電装置３０が設けられている。蓄電装置３０は、バッテリ３２と、バッテリ３２の周囲を囲むように配置された蓄熱材３４とを備えている。蓄熱材３４には、熱媒が循環する熱媒循環パイプ３６が巻き掛けられており、熱媒循環パイプ３６のパイプ端部３６Ａ、３６Ｂは床２０の内部に配置された床暖房装置４２に接続されている。また、熱媒循環パイプ３６のパイプ端部３６Ｃ、３６Ｄは、給湯装置４４に接続されている。パイプ端部３６Ａ、３６Ｃには、ポンプ４６、５０と開閉弁４８、５２が設けられており、制御装置３８によってポンプ４６、５０の駆動及び開閉弁４８、５２の開閉が制御される。【選択図】図２
2009266556.tif 000002
【特許請求の範囲】
【請求項１】
充放電されるバッテリと、
前記バッテリの近傍に設けられ、前記バッテリの充放電時に発生する熱を蓄熱する蓄熱材と、
前記蓄熱材に蓄熱される蓄熱量を制御すると共に、前記蓄熱材に蓄熱された熱の放熱量を制御する制御装置と、を有し、
前記蓄熱材の放熱による排熱を熱利用装置に利用することを特徴とする蓄電装置。
【請求項２】
前記バッテリの温度を検出する温度センサを備え、
前記制御装置は、前記温度センサで検出された温度に基づき、前記バッテリの熱を奪いすぎないように制御することを特徴とする請求項１に記載の蓄電装置。
【請求項３】
前記バッテリと前記蓄熱材が、建物の床下に収容されていることを特徴とする請求項１又は請求項２に記載の蓄電装置。
【請求項４】
請求項１から請求項３までのいずれか１項に記載の蓄電装置と、
前記蓄熱装置に接続され、前記蓄熱材の放熱による排熱を利用して暖房する前記熱利用装置としての暖房装置と、
を備えることを特徴とする熱利用システム。
【請求項５】
請求項１から請求項３までのいずれか１項に記載の蓄電装置と、
建物内の少なくとも一つの部屋に連結されるダクトと、
前記蓄電装置と前記ダクトとの間に設けられ、前記蓄熱材の放熱による排熱によって温められた空調風を前記ダクトを介して前記部屋へ送風する前記熱利用装置としての送風装置と、
を備えることを特徴とする熱利用システム。
【請求項６】
請求項１から請求項３までのいずれか１項に記載の蓄電装置と、
前記蓄電装置に接続され、前記蓄熱材の放熱による排熱を利用して給湯用の水を加熱する前記熱利用装置としての給湯装置と、
を備えることを特徴とする熱利用システム。
【請求項７】
前記蓄熱材と、前記暖房装置、前記送風装置及び前記給湯装置の少なくとも１つとの間に接続され、熱媒が循環される熱媒循環路と、
前記熱媒循環路に設けられ、熱媒を循環させるポンプと、
前記熱媒循環路を開閉又は前記熱媒循環路を流れる熱媒の経路を変更する開閉弁と、
を備えることを特徴とする請求項４から請求項６までのいずれか１項に記載の熱利用システム。
【請求項８】
前記蓄熱材の温度を検出する蓄熱材用温度センサを備え、
前記制御装置は、前記蓄熱材用温度センサで検出された温度に基づき、前記ポンプの駆動及び前記開閉弁の開閉を制御することを特徴とする請求項７に記載の熱利用システム。
【発明の詳細な説明】
【技術分野】
【０００１】
本発明は、蓄電装置、及びこの蓄電装置を備えた熱利用システムに関する。
【背景技術】
【０００２】
下記特許文献１には、住宅の床下スペースに蓄電池を収納した住宅用の電力貯蔵システムが開示されている。この住宅用の電力貯蔵システムでは、割安な夜間電力を蓄電池に蓄えておき、昼間その電力を所定の冷暖房設備等に供給することができる。
【特許文献１】特開２０００−３２３１１３号公報
【発明の開示】
【発明が解決しようとする課題】
【０００３】
しかしながら、上記先行技術では、蓄電池に充放電（充電及び放電）する際に熱が発生する。この熱によって、蓄電池の寿命が短くなる可能性があり、場合によっては、蓄電池を強制冷却するための冷却ファンを設置する必要が生じる。
【０００４】
本発明は上記事実を考慮し、蓄電池に充放電する際に発生する熱を有効利用することができる蓄電装置及び熱利用システムを得ることが目的である。
【課題を解決するための手段】
【０００５】
請求項１の発明に係る蓄電装置は、充放電されるバッテリと、前記バッテリの近傍に設けられ、前記バッテリの充放電時に発生する熱を蓄熱する蓄熱材と、前記蓄熱材に蓄熱される蓄熱量を制御すると共に、前記蓄熱材に蓄熱された熱の放熱量を制御する制御装置と、を有し、前記蓄熱材の放熱による排熱を熱利用装置に利用することを特徴とする。
【０００６】
請求項２の発明は、請求項１に記載の蓄電装置において、前記バッテリの温度を検出する温度センサを備え、前記制御装置は、前記温度センサで検出された温度に基づき、前記バッテリの熱を奪いすぎないように制御することを特徴とする。
【０００７】
請求項３の発明は、請求項１又は請求項２に記載の蓄電装置において、前記バッテリと前記蓄熱材が、建物の床下に収容されていることを特徴とする。
【０００８】
請求項４の発明に係る熱利用システムは、請求項１から請求項３までのいずれか１項に記載の蓄電装置と、前記蓄熱装置に接続され、前記蓄熱材の放熱による排熱を利用して暖房する前記熱利用装置としての暖房装置と、を備えることを特徴とする。
【０００９】
請求項５の発明に係る熱利用システムは、請求項１から請求項３までのいずれか１項に記載の蓄電装置と、建物内の少なくとも一つの部屋に連結されるダクトと、前記蓄電装置と前記ダクトとの間に設けられ、前記蓄熱材の放熱による排熱によって温められた空調風を前記ダクトを介して前記部屋へ送風する前記熱利用装置としての送風装置と、を備えることを特徴とする。
【００１０】
請求項６の発明に係る熱利用システムは、請求項１から請求項３までのいずれか１項に記載の蓄電装置と、前記蓄電装置に接続され、前記蓄熱材の放熱による排熱を利用して給湯用の水を加熱する前記熱利用装置としての給湯装置と、を備えることを特徴とする。
【００１１】
請求項７の発明は、請求項４から請求項６までのいずれか１項に記載の熱利用システムにおいて、前記蓄熱材と、前記暖房装置、前記送風装置及び前記給湯装置の少なくとも１つとの間に接続され、熱媒が循環される熱媒循環路と、前記熱媒循環路に設けられ、熱媒を循環させるポンプと、前記熱媒循環路を開閉又は前記熱媒循環路を流れる熱媒の経路を変更する開閉弁と、を備えることを特徴とする。
【００１２】
請求項８の発明は、請求項７に記載の熱利用システムにおいて、前記蓄熱材の温度を検出する蓄熱材用温度センサを備え、前記制御装置は、前記蓄熱材用温度センサで検出された温度に基づき、前記ポンプの駆動及び前記開閉弁の開閉を制御することを特徴とする。
【００１３】
請求項１記載の本発明によれば、バッテリに充放電（充電及び放電）される際に熱が発生し、その熱がバッテリの近傍に設けられた蓄熱材に蓄熱される。その際、制御装置によって、蓄熱材に蓄熱される蓄熱量が制御されると共に、蓄熱材に蓄熱された熱の放熱量が制御される。そして、蓄熱材の放熱による排熱が熱利用装置（例えば暖房装置、給湯装置等）に利用されることにより、バッテリの充放電時に発生する熱を蓄熱して有効利用することができる。また、バッテリの充放電時に発生する熱が蓄熱材に蓄熱されることにより、バッテリを冷却することができ、バッテリの寿命の低下を抑制することができる。
【００１４】
請求項２記載の本発明によれば、温度センサによりバッテリの温度が検出され、温度センサで検出された温度に基づき、制御装置によって、バッテリの熱を奪いすぎないように制御される。これにより、バッテリの温度を適切に管理することができ、バッテリの寿命の低下を効果的に抑制することができる。
【００１５】
請求項３記載の本発明によれば、バッテリと蓄熱材が、建物の床下に収容されているので、建物の床下の空きスペースを有効活用することができる。このため、建物の室内や屋外にバッテリと蓄熱材を設置するスペースを確保する必要がなく、省スペース化が可能である。また、建物の床下は温度及び湿度が安定化しているため、バッテリの寿命の低下をより一層抑制することができる。
【００１６】
請求項４記載の本発明によれば、請求項１から請求項３までのいずれか１項に記載の蓄電装置に熱利用装置としての暖房装置が接続されており、暖房装置は蓄熱材の放熱による排熱を利用することによって暖房する。これにより、バッテリの充放電時に発生する熱を蓄熱して暖房装置に有効利用することができる。
【００１７】
請求項５記載の本発明によれば、建物内の少なくとも一つの部屋にダクトが連結されており、請求項１から請求項３までのいずれか１項に記載の蓄電装置とダクトとの間に熱利用装置としての送風装置が設けられている。送風装置は蓄熱材の放熱による排熱によって温められた空調風をダクトを介して建物内の部屋へ送風する。これにより、バッテリの充放電時に発生する熱を蓄熱して有効利用することができる。
【００１８】
請求項６記載の本発明によれば、請求項１から請求項３までのいずれか１項に記載の蓄電装置に熱利用装置としての給湯装置が接続されており、給湯装置は、蓄熱材の放熱による排熱を利用することによって、給湯用の水を加熱する。これにより、バッテリの充放電時に発生する熱を蓄熱して給湯装置に有効利用することができる。
【００１９】
請求項７記載の本発明によれば、蓄熱材と、暖房装置、送風装置及び給湯装置の少なくとも１つとの間に熱媒循環路が接続されており、熱媒循環路が所定の経路となるように開閉弁を開閉すると共に、熱媒循環路に設けられたポンプを駆動することで、熱媒循環路に熱媒が循環される。これにより、蓄熱材の放熱による排熱が、熱媒循環路を循環する熱媒を介して暖房装置、送風装置及び給湯装置の少なくとも１つに伝達される。このため、構成を複雑化することなく、バッテリの充放電時に発生する熱を蓄熱材に蓄熱すると共に、蓄熱材の放熱による排熱を暖房装置、送風装置及び給湯装置の少なくとも１つに伝達して有効利用することができる。
【００２０】
請求項８記載の本発明によれば、蓄熱材用温度センサにより蓄熱材の温度が検出され、蓄熱材用温度センサで検出された温度に基づき、制御装置によって、ポンプの駆動及び開閉弁の開閉が制御される。例えば、蓄熱材の温度が所定値以上になったときに、熱媒循環路のポンプを駆動すると共に、開閉弁を開放するような制御を行うことで、蓄熱材に蓄熱された熱を熱媒を介して暖房装置、送風装置及び給湯装置の少なくとも１つに伝達することができる。これにより、蓄熱材の熱によりバッテリを損傷させることを防止又は抑制できると共に、蓄熱材の熱を効率的に利用することができる。
【発明の効果】
【００２１】
以上説明したように、請求項１記載の本発明に係る蓄電装置は、バッテリの充放電時に発生する熱を蓄熱材に蓄熱して有効利用することができるという優れた効果を有する。
【００２２】
請求項２記載の本発明に係る蓄電装置は、バッテリの温度を適切に管理することができ、バッテリの寿命の低下を効果的に抑制することができるという優れた効果を有する。
【００２３】
請求項３記載の本発明に係る蓄電装置は、建物の室内や屋外にバッテリと蓄熱材を設置するスペースを確保する必要がなく、省スペース化が可能であると共に、バッテリの寿命の低下をより一層抑制することができるという優れた効果を有する。
【００２４】
請求項４記載の本発明に係る熱利用システムは、バッテリの充放電時に発生する熱を蓄熱して暖房装置に有効利用することができるという優れた効果を有する。
【００２５】
請求項５記載の本発明に係る熱利用システムは、バッテリの充放電時に発生する熱を蓄熱して空調風の送風に有効利用することができるという優れた効果を有する。
【００２６】
請求項６記載の本発明に係る熱利用システムは、バッテリの充放電時に発生する熱を蓄熱して給湯装置に有効利用することができるという優れた効果を有する。
【００２７】
請求項７記載の本発明に係る熱利用システムは、構成を複雑化することなく、蓄熱材の放熱による排熱を暖房装置、送風装置及び給湯装置の少なくとも１つに伝達して有効利用することができるという優れた効果を有する。
【００２８】
請求項８記載の本発明に係る熱利用システムは、蓄熱材の熱によりバッテリを損傷させることを防止又は抑制できると共に、蓄熱材の熱を効率的に利用することができるという優れた効果を有する。
【発明を実施するための最良の形態】
【００２９】
〔第１実施形態〕
以下、図１及び図２を用いて、本発明に係る蓄電装置が搭載された熱利用システムの第１実施形態について説明する。
【００３０】
図１には、本実施形態に係る熱利用システムが適用された建物としての住宅１０が示されている。この図に示されるように、住宅１０の外壁１４には、電柱１２に懸架された電線１３から商用の電力が受電される受電盤１６が設けられている。受電盤１６では、受電されたＡＣ電力が屋内に配設された分電盤１８に向かう電気系統と、床２０の下部に配置された蓄電装置３０に向かう電気系統との２系統に配電されている。受電盤１６から分電盤１８に向かうＡＣ電力は、分電盤１８を経て図示しない複数の家庭用コンセント等に配電される。
【００３１】
また、住宅１０の屋根２２の上部には、太陽光線をエネルギーとして利用するソーラーパネル２４が配設されており、ソーラーパネル２４はパワーコンディショナー２６を介して分電盤１８に接続されている。パワーコンディショナー２６では、ソーラーパネル２４から入ったＤＣ電力がＡＣ電力に変換され、分電盤１８を経て図示しない複数の家庭用コンセント等に配電される。
【００３２】
図１に示されるように、蓄電装置３０は、熱利用システム４０の一部を構成しており、住宅１０の床２０の下部に設けられた収納スペース２８に設置されている。図２に示されるように、蓄電装置３０は、電力を充放電（充電及び放電）する矩形状のバッテリ３２と、バッテリ３２の周囲を囲むように配置された筒状の蓄熱材３４と、を備えている。蓄熱材３４は、上壁部３４Ａと、両側の側壁部３４Ｂと、下壁部３４Ｃとで構成されており、それぞれの上壁部３４Ａと側壁部３４Ｂと下壁部３４Ｃには、内部に熱媒が循環される熱媒循環路としての熱媒循環パイプ３６が巻き掛けられている。さらに、蓄電装置３０は、蓄熱材３４に蓄熱される蓄熱量を制御すると共に、蓄熱材３４に蓄熱された熱の放熱量を制御する制御装置３８を備えている。
【００３３】
蓄熱材３４は、潜熱蓄熱材からなり、周辺の温度が相対化温度以上に上昇すると蓄熱材３４に蓄熱され、周辺の温度が相対化温度に降下すると蓄熱材３４から放熱されるものである。すなわち、バッテリ３２の充放電時に発生する熱により、バッテリ３２付近の温度が相対化温度以上に上昇するとバッテリ３２に隣接して配置された蓄熱材３４に蓄熱され、バッテリ３２付近の温度が相対化温度に降下すると蓄熱材３４から放熱されるようになっている。
【００３４】
図１に示されるように、熱利用システム４０は、蓄電装置３０の他に、床２０の内部に配設された床暖房装置４２と、床２０の下部の収納スペース２８に配置された給湯装置４４と、を備えている。図２に示されるように、床暖房装置４２には、蓄熱材３４の上壁部３４Ａに巻き掛けられた熱媒循環パイプ３６の一方のパイプ端部３６Ａが接続されており、熱媒循環パイプ３６のパイプ端部３６Ａには、熱媒を循環させるためのポンプ４６と、熱媒循環パイプ３６のパイプ端部３６Ａを開閉する開閉弁４８と、が設けられている。床暖房装置４２の内部には、熱媒循環パイプ３６のパイプ端部３６Ａと接続されて熱媒が循環される熱媒循環路（図示省略）が張り巡らされている。さらに、熱媒循環路（図示省略）の下流側は、蓄熱材３４の上壁部３４Ａに巻き掛けられた熱媒循環パイプ３６の他方のパイプ端部３６Ｂに接続されている。ポンプ４６を駆動すると共に、開閉弁４８を開放することにより、熱媒が熱媒循環パイプ３６内を矢印方向に循環されるようになっている。
【００３５】
本実施形態では、床暖房装置４２として、例えばオイル（熱媒）を循環させることで、床２０の表面付近を熱放射によって暖房するオイルヒータが用いられている。なお、図示を省略するが、蓄熱材３４の上壁部３４Ａに巻き掛けられた熱媒循環パイプ３６は、途中で蓄熱材３４の一方（図２中の右側）の側壁部３４Ｂに巻き掛けられた熱媒循環パイプ３６に接続されて上壁部３４Ａに戻るように構成されている。なお、この構成の熱媒循環パイプ３６に限定するものではない。
【００３６】
給湯装置４４には、蓄熱材３４の他方（図２中の左側）の側壁部３４Ｂに巻き掛けられた熱媒循環パイプ３６の一方のパイプ端部３６Ｃが接続されており、このパイプ端部３６Ｃには、熱媒を循環させるためのポンプ５０と、熱媒循環パイプ３６のパイプ端部３６Ｃを開閉する開閉弁５２と、が設けられている。給湯装置４４は、給湯用の湯が貯蔵される貯湯槽（図示省略）を備えており、貯湯槽（図示省略）の周囲には、熱媒循環パイプ３６のパイプ端部３６Ｃと接続されて熱媒が循環される熱媒循環路（図示省略）が巻き掛けられている。さらに、熱媒循環路（図示省略）の下流側は、蓄熱材３４の側壁部３４Ｂに巻き掛けられた熱媒循環パイプ３６の他方のパイプ端部３６Ｄに接続されている。ポンプ５０を駆動すると共に、開閉弁５２を開放することにより、熱媒が熱媒循環パイプ３６内を矢印方向に循環されるようになっている。
【００３７】
給湯装置４４としては、例えば、貯湯槽（図示省略）を備えた温水器やＨＰ（ヒートポンプ）式給湯器などを用いることができる。なお、図示を省略するが、蓄熱材３４の一方（図２中の左側）の側壁部３４Ｂに巻き掛けられた熱媒循環パイプ３６は、途中で蓄熱材３４の下壁部３４Ｃに巻き掛けられた熱媒循環パイプ３６に接続されて側壁部３４Ｂに戻るように構成されている。なお、この構成の熱媒循環パイプ３６に限定するものではない。
【００３８】
また、バッテリ３２の表面には、バッテリ３２の温度を検出するバッテリ用温度センサ５４が取り付けられており、蓄熱材３４の表面には、蓄熱材３４の温度を検出する蓄熱材用温度センサ５６が取り付けられている。制御装置３８は、バッテリ用温度センサ５４で検出された温度、及び蓄熱材用温度センサ５６で検出された温度に基づき、ポンプ４６、５０の駆動及び開閉弁４８、５２の開閉を制御する。これによって、蓄熱材３４に蓄熱される蓄熱量が制御されると共に、蓄熱材３４に蓄熱された熱の放熱量が制御される。その際、制御装置３８は、バッテリ用温度センサ５４で検出された温度に基づき、バッテリ３２の熱を奪いすぎないような制御を行うようになっている。
【００３９】
次に、本実施形態の作用並びに効果について説明する。
【００４０】
熱利用システム４０では、例えば、電気代が低額な深夜電力がバッテリ３２に充電され、バッテリ３２に充電された電力が昼間などに住宅１０内の各電気機器等に使用される（放電される）。このようなバッテリ３２の充放電時には熱が発生し、その熱がバッテリ３２に隣接する蓄熱材３４に蓄熱される。特に急速にバッテリ３２に充放電する時には大量の熱が発生し、その熱が蓄熱材３４に蓄熱される。その際、バッテリ３２の温度がバッテリ用温度センサ５４で検出されると共に、蓄熱材３４の温度が蓄熱材用温度センサ５６で検出され、制御装置３８により、バッテリ３２及び蓄熱材３４の温度管理が行われる。バッテリ３２の充放電時に発生する熱が蓄熱材３４に蓄熱されることにより、バッテリ３２の冷却を行うことができ、バッテリ３２の寿命の低下を抑制することができる。また、住宅１０の床２０の下部の収納スペース２８は、温度及び湿度が安定化しているため、バッテリ３２の寿命の低下を効果的に抑制することができる。
【００４１】
蓄熱材３４の周辺の温度が相対化温度に下がると、蓄熱材３４から放熱される。蓄熱材３４の放熱は、バッテリ用温度センサ５４で検出された温度及び蓄熱材用温度センサ５６で検出された温度に基づき、制御装置３８によって制御される。具体的には、制御装置３８は、開閉弁４８及び開閉弁５２の少なくとも一方を開放すると共に、開放した熱媒循環パイプ３６のポンプ４６、５０を駆動する。また、バッテリ用温度センサ５４で検出された温度及び蓄熱材用温度センサ５６で検出された温度により、蓄熱材３４の蓄熱容量が一杯になり、又はバッテリ３２を損傷させる恐れがある時にも、制御装置３８は、開閉弁４８及び開閉弁５２の少なくとも一方を開放すると共に、開放した熱媒循環パイプ３６のポンプ４６、５０を駆動する。これにより、熱媒循環パイプ３６の内部を熱媒が循環し、床暖房装置４２及び給湯装置４４の少なくとも一方に、蓄熱材３４から放熱された排熱が伝達され、床暖房装置４２及び給湯装置４４の少なくとも一方が作動する。床暖房装置４２では、床２０の表面付近を熱放射により暖房することができる。また、給湯装置４４では、貯湯槽内で給湯用の水を加熱することができる。
【００４２】
なお、夏季には、床暖房装置４２による暖房が不要になるので、蓄熱材３４から放熱される熱を給湯装置４４に回すことができる。すなわち、夏季は給湯装置４４へ、冬季は床暖房装置４２及び給湯装置４４へ蓄熱材３４から放熱される熱を回すように設定することが好ましい。また、制御装置３８は、バッテリ３２の熱を奪いすぎることがないように、バッテリ３２の温度を監視し、必要に応じて開閉弁４８、５２を開閉する。これにより、蓄熱材３４に蓄熱された熱を効率的に利用することができる。
【００４３】
このような熱利用システム４０では、バッテリ３２の充放電時に発生する熱を蓄熱材３４に蓄熱し、蓄熱材３４の放熱による排熱を利用して床暖房装置４２、給湯装置４４を作動させることができる。このため、バッテリ３２の充放電時に発生する熱を蓄熱して有効利用することができる。また、バッテリ３２の充放電時に発生する熱が蓄熱材３４に蓄熱されることにより、バッテリ３２が冷却されるので、バッテリ３２の寿命の低下を抑制することができる。従って、別途バッテリを冷却するための冷却ファンを設ける必要がなく、冷却ファンを駆動するために電力を使う必要がない。
【００４４】
また、蓄電装置３０が住宅１０の床２０の下部の収納スペース２８に収容されているので、床２０の下部の空きスペースを有効活用することができる。このため、建物の室内や屋外に蓄電装置を設置するスペースを確保する必要がなく、省スペース化が可能である。また、床２０の下部の収納スペース２８は温度及び湿度が安定化しているため、バッテリ３２の寿命の低下をより一層抑制することができる。
【００４５】
〔第２実施形態〕
以下、図３を用いて、本発明に係る蓄電装置が搭載された熱利用システムの第２実施形態について説明する。なお、前述した第１実施形態と同一構成部分については、同一番号を付してその説明を省略する。
【００４６】
図３に示されるように、熱利用システム７０には、バッテリ３２と、蓄熱材３４と、制御装置３８等を備えた蓄電装置７２が設けられている。また、蓄電装置７２には、バッテリ３２と蓄熱材３４を囲むように箱状のケーシング７４が設けられている。ケーシング７４の一側面（図中右側の側面）には図示しない開口が設けられており、その開口と隣接する位置に送風装置７６が設けられている。送風装置７６のケーシング７４と反対側の壁面には、ダクト７８の一端部が連結されており、ダクト７８の他端部は、住宅１０内の部屋８０の壁部８２に設けられた吹出口８４に連結されている。
【００４７】
送風装置７６は、ファン７７を備えており、ファン７７の回転により蓄熱材３４の放熱による排熱によって温められた空調風をダクト７８を介して部屋８０へ送風するようになっている。具体的には、蓄熱材３４の放熱による排熱によってケーシング７４内の雰囲気温度が加温され、ケーシング７４内の温められた空気がファン７７の回転により温風としてダクト７８を介して部屋８０へ送給されるように構成されている。ファン７７は、住宅１０内の電源から供給される電力により駆動されるように構成されている。なお、図３では、ダクト７８は、住宅１０内の１つの部屋８０に連結されているが、ダクト７８の下流側を分岐して住宅１０内の複数の部屋に連結してもよい。
【００４８】
このような熱利用システム７０では、バッテリ３２の充放電時に発生した熱がバッテリ３２に隣接する蓄熱材３４に蓄熱される。そして、蓄熱材３４の放熱による排熱によってケーシング７４内の空気が温められ、送風装置７６のファン７７の回転によりケーシング７４内の空気が温風としてダクト７８に送給され、吹出口８４から部屋８０内に温風が吹き出される。従って、バッテリ３２の充放電時に発生する熱を蓄熱材３４に蓄熱し、蓄熱材３４の放熱による排熱を送風装置７６により温風として部屋８０内に送給することができ、バッテリ３２の充放電時に発生する熱を有効利用することができる。
【００４９】
〔前述した実施形態の補足説明〕
（１）前述した実施形態では、住宅１０の床２０の下部に蓄電装置３０、７２を配設したが、これに限らず、例えば住宅１０の屋外や屋内に蓄電装置３０、７２を配設してもよい。また、住宅１０に限らず、商業用、工業用、又は農業用の建物に蓄電装置３０、７２を配設してもよい。
【００５０】
（２）前述した実施形態では、蓄電装置３０に床暖房装置４２と給湯装置４４とを接続し、蓄電装置７２に送風装置７６と給湯装置４４を接続したが、これに限らず、他の熱利用装置を接続してもよい。また、床暖房装置４２は、熱放射により床暖房する構成であったが、これに限定されず、他の暖房装置であってもよい。また、送風装置７６のファン７７は、住宅１０内の電源から供給される電力により駆動される構成であったが、これに限らず、蓄熱材３４の放熱による排熱を利用して電気的にファンを駆動させる構成でもよい。
【００５１】
（３）前述した実施形態では、開閉弁の開閉により熱媒循環パイプ３６を開放及び閉鎖する構成であったが、これに限らず、例えば、開閉弁の開閉により熱媒循環パイプを流れる熱媒の経路を変更する構成であってもよい。
【００５２】
（４）前述した実施形態では、住宅１０内に配設されたバッテリ３２の充放電時に発生する熱を蓄熱材に蓄熱して住宅１０の熱利用システムに利用したが、これに限らず、建物以外のバッテリの充放電時に発生する熱を蓄熱材に蓄熱して建物の熱利用システムに利用してもよい。例えば、ＥＶ車（電気自動車）のバッテリの充放電時に発生する熱を蓄熱材に蓄熱し、蓄熱材の放熱による排熱を建物の暖房装置、給湯装置等に利用する構成でもよい。特に、ＥＶ車のバッテリに急速充電・放電すると発熱温度が高くなるが、この熱を蓄熱材に蓄熱することで、バッテリを冷却することができ、バッテリの損傷及び劣化を抑制することができる。
【００５３】
（５）前述した実施形態では、バッテリに隣接するように蓄熱材を設けたが、これに限らず、燃料電池に隣接するように蓄熱材を設けてもよい。この場合、燃料電池を運転することで発電することができると共に、燃料電池から発生する熱を蓄熱材に蓄熱する。蓄熱材に蓄熱することで、燃料電池を冷却することができると共に、蓄熱材の放熱による排熱を給湯装置等に有効利用することができる。
【図面の簡単な説明】
【００５４】
【図１】第１実施形態に係る熱利用システムを適用した住宅を示す側面図である。
【図２】図１に示す熱利用システムを示すブロック図である。
【図３】第２実施形態に係る熱利用システムを適用した住宅を示す側面図である。
【符号の説明】
【００５５】
１０   住宅（建物）
２０   床
２８   収納スペース
３０   蓄電装置
３２   バッテリ
３４   蓄熱材
３６   熱媒循環パイプ（熱媒循環路）
３８   制御装置
４０   熱利用システム
４２   床暖房装置（暖房装置）
４４   給湯装置
４６   ポンプ
４８   開閉弁
５０   ポンプ
５２   開閉弁
５４   バッテリ用温度センサ（温度センサ）
５６   蓄熱材用温度センサ
７０   熱利用システム
７２   蓄電装置
７６   送風装置
７８   ダクト
８０   部屋
【図１】
2009266556.tif 000003
【図２】
2009266556.tif 000004
【図３】
2009266556.tif 000005